【手続補正書】
【提出日】平成17年12月21日(2005.12.21)
【手続補正１】
【補正対象書類名】特許請求の範囲
【補正対象項目名】全文
【補正方法】変更
【補正の内容】
【特許請求の範囲】
【請求項１】
デジタル化された中間周波数のＦＭ変調信号又は位相変調信号を入力信号として入力し、前記入力信号のマルチパス歪をアダプティブに除去するマルチパス除去フィルタ部と、
前記マルチパス除去フィルタ部より出力される希望信号を検波する検波部と、
前記検波部によって検波された検波信号を復調する復調部と、
前記入力信号から第１の電界強度を検出する第１の電界強度検波部と、
前記希望信号から第２の電界強度を検出する第２の電界強度検波部と、
前記第２の電界強度検出信号に含まれるノイズ成分を検出するノイズ量検出部とを備え、
前記第１の電界強度検波部で検出される前記第１の電界強度と前記ノイズ量検出部で検出される前記ノイズ成分との変化に応じて、前記復調部に対して少なくともミュート制御、ハイカット制御、セパレーション制御を行う制御部と、を備えたことを特徴とする受信機。
【請求項２】
前記制御部は、予め決められた電界強度に関する第１，第２の閾値と、前記第１の電界強度とを比較し、前記第１の電界強度が前記第１の閾値より小さいと、前記復調部に対してミュート制御を行い、前記第１の電界強度が前記第１，第２の閾値の間のときには、前記復調部に対してハイカット制御を行い、前記第１の電界強度が前記第２の閾値を超えると、前記復調部に対してセパレーション制御を行うことを特徴とする請求項１に記載の受信機。
【請求項３】
前記制御部は、予め決められたノイズ成分量に関する第３，第４の閾値と、前記検出したノイズ成分とを比較し、前記検出したノイズ成分が前記第３の閾値より小さいと、前記復調部に対してセパレーション制御を行い、前記検出したノイズ成分が前記第３，第４の閾値の間のときには、前記復調部に対してハイカット制御を行い、前記検出したノイズ成分が前記第４の閾値を超えると、前記復調部に対してミュート制御を行うことを特徴とする請求項１又は２に記載の受信機。
【手続補正２】
【補正対象書類名】明細書
【補正対象項目名】０００９
【補正方法】変更
【補正の内容】
【０００９】
このため、中間周波信号ＳIFからマルチパス歪を除去し、ＦＭ検波部３に続くミュート処理部４と高域除去フィルタ５とステレオ復調部６の各特性を制御することによって更にＳ／Ｎの向上を図ろうとする受信機が提案されている。
【手続補正３】
【補正対象書類名】明細書
【補正対象項目名】００２４
【補正方法】変更
【補正の内容】
【００２４】
そして、上述のＡＧＣ回路１１、マルチパス除去フィルタ１２、ＦＭ検波部１４、ミュート処理部１５，高域除去フィルタ１６，ステレオ復調部１７、第１，第２の電界強度検出部１８，１９、ノイズ量検出部２０及び制御部２１は、デジタル回路又はデジタルシグナルプロセッサ（ＤＳＰ）によって形成されている。
【手続補正４】
【補正対象書類名】明細書
【補正対象項目名】００２９
【補正方法】変更
【補正の内容】
【００２９】
エンベロープ検出部２２は、中間周波信号Ｘin(t)の絶対値の２乗の値│Ｘin(t)│２を演算する演算器２２ａと、演算器２２ａの出力を遅延時間Ｔで遅延させて出力する遅延素子Ｄaと、演算器２２ａの出力値│Ｘin(t)│２と遅延素子Ｄａの出力値│Ｘin(t-1)│２とを加算することによって、中間周波信号Ｘin(t)のエンベロープを示す包絡線信号Ｘe(t)を出力する加算器２２ｂと、包絡線信号Ｘe(t)を平滑化することによって、直流の基準信号Ｖth(t)を出力するデジタルローパスフィルタ２２ｃとを備えて構成されている。
【手続補正５】
【補正対象書類名】明細書
【補正対象項目名】００３８
【補正方法】変更
【補正の内容】
【００３８】
また、本実施形態では、振幅制御回路２４ｃは、予め決められた値を超えた誤差成分Ｄce(t)の対数値を求め、その対数値に比例した値に従って振幅制限回路２４ｃの減衰率又は増幅率を調整させることにより、上述の抑制した補正誤差成分ｅｃｐ(t)を出力させている。
【手続補正６】
【補正対象書類名】明細書
【補正対象項目名】００４４
【補正方法】変更
【補正の内容】
【００４４】
更に、上述のエンベロープ検出部２２において評価基準としての基準信号Ｖth(t)を生成すると共に、誤差検出部２３が希望信号Ｙ(t)の包絡線信号Ｙe(t)と基準信号Ｖth(t)との誤差成分ｅ(t)を演算し、更に誤差成分制限部２４が誤差成分ｅ(t)の振幅を抑制した補正誤差成分ｅｃｐ(t)を生成した後、タップ係数更新部２５が補正誤差成分ｅｃｐ(t)若しくは誤差成分ｅ(t)をほぼ０に収束させるように、上記式（１）で表されるタップ係数更新アルゴリズムに基づいてデジタルフィルタＡＤＦの各タップ係数Ｋ０(t)〜Ｋｍ−１(t)をアダプティブに可変制御する。
【手続補正７】
【補正対象書類名】明細書
【補正対象項目名】００４７
【補正方法】変更
【補正の内容】
【００４７】
ここで、減算器２３ｃから出力される誤差成分ｅ(t)は絶対値検出回路２４ａを介してデジタルローパスフィルタ２４ｂに入力されることから、デジタルローパスフィルタ２４ｂの時定数特性に従って、次第に誤差成分Ｄce(t)が確定していく。つまり、確定した誤差成分Ｄce(t)が振幅制御回路２４ｃに供給されるまでの期間中、別言すれば、誤差成分Ｄce(t)が未だ確定していない期間中では、誤差成分ｅ(t)の振幅が未だ小さいので、補正誤差成分ｅｃｐ(t)は誤差成分ｅ(t)とほぼ等しくなり、この補正誤差成分ｅｃｐ(t)に基づいてタップ係数更新部２５が上記式（１）で表されるアルゴリズムに従ってタップ係数Ｋ０(t)〜Ｋｍ−１(t)を可変制御すると、予め決められている係数値αに依存した速度で補正誤差成分ｅｃｐ(t)若しくは誤差成分ｅ(t)をほぼ０に収束させることができ、デジタルフィルタＡＤＦを安定化させることができる。
【手続補正８】
【補正対象書類名】明細書
【補正対象項目名】００７５
【補正方法】変更
【補正の内容】
【００７５】
以上説明したように本実施形態の受信機によれば、第１の電界強度検出部１８が、Ａ／Ｄ変換器１０から出力されマルチパス除去部１３に入力されていない中間周波信号ＤIFから電界強度を検出することにより、受信アンテナにおける電界強度を適切に検出することができ、その検出した第１の電界強度検出信号Ｅs1に基づいてミュート処理部１５と高域除去フィルタ１６とステレオ復調部１７の各特性を制御するので、Ｓ／Ｎの良好な左右チャンネル信号ＤL，ＤRを発生させることができる。
【手続補正９】
【補正対象書類名】明細書
【補正対象項目名】００７６
【補正方法】変更
【補正の内容】
【００７６】
更に、第２の電界強度検出部１９がマルチパス除去フィルタ１３においてマルチパス歪の除去処理の施された希望信号Ｙ(t)から第２の電界強度検出信号Ｅs2を検出すると共に、ノイズ量検出部２０が第２の電界強度検出信号Ｅs2からノイズ検出信号Ｎｓを検出することによって、希望信号Ｙ(t)に残存しているノイズ成分の量を表すノイズ検出信号Ｎｓを検出することができる。そして、このノイズ検出信号Ｎｓに基づいてミュート処理部１５と高域除去フィルタ１６とステレオ復調部１７の各特性を制御するので、Ｓ／Ｎの良好な左右チャンネル信号ＤL，ＤRを発生させることができる。
【手続補正１０】
【補正対象書類名】図面
【補正対象項目名】図２
【補正方法】変更
【補正の内容】
【図２】
2005167718.tif 000001